(57)【要約】【課題】  平面レンズに着脱容易な貼付レンズを提供する。【解決手段】  本発明における貼付レンズ１は、度入りで変形可能なソフトレンズ１１と、ソフトレンズ１１の所定の一面に形成され、再剥離性粘着機能を有し、透光性の高い粘着層１２と、を備え、他のレンズに粘着層１２で貼付することによりソフトレンズ１１の有している視力矯正機能を他のレンズに付加させることができる貼付レンズ１であって、ソフトレンズ１１の外縁の所定位置に、外方に突出するつまみ片１５が形成されていることを特徴とする。【選択図】  図１
2013101290.tif 000002
【特許請求の範囲】
【請求項１】
度入りで変形可能なソフトレンズと、
前記ソフトレンズの所定の一面に形成され、再剥離性粘着機能を有し、透光性の高い粘着層と、
を備え、他のレンズに前記粘着層で貼付することにより前記ソフトレンズの有している視力矯正機能を前記他のレンズに付加させることができる貼付レンズであって、
前記ソフトレンズの外縁の所定位置に、外方に突出するつまみ片が形成されていることを特徴とする貼付レンズ。
【請求項２】
他のレンズに貼付することにより前記他のレンズに視力矯正機能を付加させることができる貼付レンズであって、
再剥離性粘着機能を有し、度入りで変形可能なソフトレンズと、
前記ソフトレンズの外縁の所定位置において外方に突出するように形成されたつまみ片と、
を備えることを特徴とする貼付レンズ。
【請求項３】
一面が吸盤機能を備える凹状の面とされ、他のレンズの表面に前記凹状の面で吸着させることにより視力矯正機能を発揮する、弾性を有したソフトレンズと、
前記ソフトレンズの外縁の所定位置において外方に突出するように形成されたつまみ片と、
を備えることを特徴とする貼付レンズ。
【請求項４】
前記つまみ片の一面又は両面には、前記ソフトレンズの視力矯正の度を表す表示が記載されていることを特徴とする請求項１乃至請求項３のいずれか１項に記載の貼付レンズ。
【請求項５】
前記つまみ片は、前記ソフトレンズの中心軸と直行する面に対して２０度乃至４０度の角度とされていることを特徴とする請求項１乃至請求項４のいずれか１項に記載の貼付レンズ。
【請求項６】
請求項１乃至請求項５のいずれかに記載の度の異なる複数の貼付レンズと、
該複数の貼付レンズが並べて貼付されるプレートと、
を備える貼付レンズセットであって、
前記プレートは、
透光性の高い素材で形成され、
前記貼付レンズが貼付される複数の貼付部と、
前記貼付部の近傍に前記貼付レンズの度数を表す表示が記載された度数表示部と、
を備えることを特徴とする貼付レンズセット。
【発明の詳細な説明】
【技術分野】
【０００１】
本発明は、平面レンズなどに着脱自在な度入りの貼付レンズと、様々な度数の貼付レンズを備える貼付レンズセットと、に関する。
【背景技術】
【０００２】
眼鏡店などでは平面レンズ（度無しのレンズ）を眼鏡フレームに装着した状態で陳列することが多い。客は、陳列されている眼鏡フレームの中から嗜好にあったものを選択し、着用した状態を鏡などに映して自分に似合っているか否か確認する。しかしながら、近眼の客などは、伊達眼鏡（平面レンズが装着された眼鏡）を着用した状態で鏡を見ても焦点が合わずにぼやけてしまい、自分に似合っているか否かを確認することが困難である。鏡に映った姿を確認するために自分の所有している眼鏡を伊達眼鏡に重ねて着用する光景も見られるが、眼鏡を重ねてしまっては選択した眼鏡フレームが自分に似合っているか否かが分からず、選択した眼鏡フレームの商品イメージが崩れてしまうこともある。
【０００３】
このような問題点を解決する方法として、フックなどが設けられた度入りレンズを伊達眼鏡に重ねることが考えられるが、厚みのあるレンズを重ねてしまっては着用している眼鏡フレームの見た目が変ってしまう虞がある。なお、伊達眼鏡に度入りレンズや度入りフィルムを取り付ける技術は既に提案されている（例えば、特許文献１、特許文献２）。
【先行技術文献】
【特許文献】
【０００４】
【特許文献１】実用新案登録第３０８０５０２号
【特許文献２】特開平７−２６１１３０号公報
【発明の概要】
【発明が解決しようとする課題】
【０００５】
上記特許文献１には、度入りレンズの平面部に透明粘着層を設け、眼鏡のレンズなどに貼付する技術が提案されている。この提案によれば、ユーザが既に所有している眼鏡を二重焦点レンズとして使える効果がある。しかしながら、特許文献１の提案では、眼鏡店などで不特定多数の人間が、伊達眼鏡に度入りレンズを何度も着脱することは想定していない。よって、伊達眼鏡等のレンズに度入りレンズを貼付することは容易であっても剥がして再利用することはできない。
【０００６】
上記特許文献２には、ポリエステル等のフイルム基材にアクリル系の粘着層とウレタン系特殊エラストマー粘着層を積層してなる再剥離性粘着機能を有する眼鏡用機能シートの提案がなされている。この提案では、予め眼鏡のレンズ大に切断された眼鏡用機能シートを該眼鏡のレンズの表又は裏側に着脱自在に取り付けられるため、ユーザが既に所有している伊達眼鏡を度入りの眼鏡にするなど、ユーザが既に所有している眼鏡等に他の機能を追加することできる。
【０００７】
また、上記特許文献２では、眼鏡用機能シートを任意の枚数だけ、紙・フィルム・合皮のセパレート基材のノート形シート及びカード面に、各組ごとに粘着してセットをし、使用前に機能目的に合わせて該眼鏡用機能シートを選択して外し、眼鏡のレンズの表面または裏面に粘着して取り付け・取り外しが自在にできるようにする提案もされている。この提案によれば、ユーザが使用する可能性のある眼鏡用機能シートを予めカード等にセットしておき、状況に応じて所望の眼鏡用機能シートを使用することができる。
【０００８】
しかしながら、上記特許文献２では、上記特許文献１と同様に眼鏡店などで不特定多数の人間が、伊達眼鏡に度入りのレンズを何度も着脱することは想定していない。よって、使い慣れていない不特定多数のユーザが着脱を繰り返すと、レンズから剥がすときにシートに傷がついたり破損したりする虞があり、シートが汚れてしまう虞もあった。また、所定の眼鏡用機能シートがどのような機能を有しているのか見た目では分からないため、眼鏡店などでユーザが容易に使用できるものではない。よって、特許文献２で提案されている技術に基づいた製品は、眼鏡店等で使用するには耐久性や使用性に問題があった。
【０００９】
本発明は、このような従来技術の問題点に鑑みて成されたものであり、使用したことがないユーザであっても他のレンズに容易に着脱（着けたり剥がしたり）でき、眼鏡店などで客（ユーザ）がレンズの機能を容易に把握することができ、かつ、伊達眼鏡等に装着しても眼鏡フレームの商品イメージを損なうことがない貼付レンズと、度の異なる複数の貼付レンズを備えてなる貼付レンズセットと、を提供することを目的としている。
【課題を解決するための手段】
【００１０】
本発明は、度入りで変形可能なソフトレンズと、前記ソフトレンズの所定の一面に形成され、再剥離性粘着機能を有し、透光性の高い粘着層と、を備え、他のレンズに前記粘着層で貼付することにより前記ソフトレンズの有している視力矯正機能を前記他のレンズに付加させることができる貼付レンズであって、前記ソフトレンズの外縁の所定位置に、外方に突出するつまみ片が形成されていることを特徴とする。
【００１１】
また、本発明は、他のレンズに貼付することにより前記他のレンズに視力矯正機能を付加させることができる貼付レンズであって、再剥離性粘着機能を有し、度入りで変形可能なソフトレンズと、前記ソフトレンズの外縁の所定位置において外方に突出するように形成されたつまみ片と、を備えることもある。
【００１２】
さらに、本発明の貼付レンズは、一面が吸盤機能を備える凹状の面とされ、他のレンズの表面に前記凹状の面で吸着させることにより視力矯正機能を発揮する、弾性を有したソフトレンズと、前記ソフトレンズの外縁の所定位置において外方に突出するように形成されたつまみ片と、を備えた構成とすることもある。
【００１３】
また、本発明における貼付レンズにおいて、前記つまみ片の一面又は両面には、前記ソフトレンズの視力矯正の度を表す表示が記載されていることを特徴とする。
【００１４】
さらに、本発明における貼付レンズにおいて、前記つまみ片は、前記ソフトレンズの中心軸と直行する面に対して２０度乃至４０度の角度とされていることを特徴とする。
【００１５】
そして、本発明は、度の異なる複数の上記貼付レンズと、該複数の貼付レンズが並べて貼付されるプレートと、を備える貼付レンズセットであって、前記プレートは、透光性の高い素材で形成され、前記貼付レンズが貼付される複数の貼付部と、前記貼付部の近傍に前記貼付レンズの度数を表す表示が記載された度数表示部と、を備えることを特徴とする。
【発明の効果】
【００１６】
本発明は、使用したことがないユーザであっても他のレンズに容易に着脱でき、眼鏡店などで客（ユーザ）がレンズの機能を容易に把握することができ、かつ、伊達眼鏡等に装着しても眼鏡フレームの商品イメージを損なうことがない貼付レンズと、度の異なる複数の貼付レンズを備えてなる貼付レンズセットと、を提供できる。
【００１７】
すなわち、本発明の貼付レンズは、ソフトレンズの外縁の所定位置に外方に突出するつまみ片が形成されているため、ユーザがこのつまみ片を摘んで他のレンズに容易に着脱することができる。また、本発明の貼付レンズによれば、つまみ片を備えることにより、レンズ部分に触れることなく着脱でき、レンズ部分に汚れや指紋が付着することを防止できる。
【００１８】
また、上記つまみ片にソフトレンズの視力矯正の度を表す表示が記載されていることにより、ユーザが貼付レンズを見るだけで貼付レンズの機能を容易に把握することができる。
【００１９】
さらに、上記つまみ片が上記ソフトレンズの中心軸と直行する面に対して２０度乃至４０度の角度で形成されているため、ユーザはつまみ片を容易に摘むことができ、ユーザフレンドリーな貼付レンズを提供できることとなる。
【００２０】
また、本発明の貼付レンズセットは、プレートが透光性の高い素材で形成されているため、プレート上に貼付レンズを並べて貼付した状態のまま、ユーザは自分の視力にあったレンズを見つけることができる。
【図面の簡単な説明】
【００２１】
【図１】本発明の実施形態に係る貼付レンズの平面図および断面図である。
【図２】上記貼付レンズを眼鏡のレンズに貼付した状態を示す参考図である。
【図３】本発明の実施形態に係る貼付レンズセットの平面図である。
【発明を実施するための形態】
【００２２】
以下、本発明の実施形態を図に基づいて詳細に述べる。図１（ａ）は、本発明の実施形態に係る貼付レンズの平面図であり、図１（ｂ）は、貼付レンズの縦断面図であり、図２は、貼付レンズを眼鏡のレンズに貼付した状態を示す参考図である。
【００２３】
本発明の貼付レンズ１は、伊達眼鏡やサングラスなどのレンズに着脱自在な度入りのレンズである。そして、この貼付レンズ１は、伊達眼鏡やサングラスなどのレンズに貼付することで視力矯正機能を追加させることができるものである。この貼付レンズ１は、図１（ａ）および（ｂ）に示すように、視力矯正機能を備えたソフトレンズ１１と、ソフトレンズ１１の所定の一面に形成された粘着層１２とからなる。
【００２４】
ソフトレンズ１１は、弾性を有した素材で形成されており、貼付対象の形状に合わせて変形可能である。また、ソフトレンズ１１は、下面を平面とし、上面が凹面のメニスカスレンズである。ソフトレンズ１１の素材としては、シリコンラバーやブチルアクリレートなどを使用することができるが、透光性を有し、非含水性で屈折率の高い（屈折率１．５以上が好ましい。）樹脂素材であれば特に限定されるものではない。
【００２５】
また、ソフトレンズ１１は、図２に示すように、市販されている一般的な眼鏡５０のレンズ（平面レンズや偏光レンズなど）５１内に貼付可能な大きさに形成されており、レンズ５１等に貼付したときに視力矯正機能が発揮できる大きさであればよい。具体的には、直径が１ｃｍから２ｃｍ程とするのが好適である。なお、ソフトレンズ１１の平面形状は必ずしも真円である必要はなく、楕円形状やその他の形状としてもよい。また、本実施形態においてソフトレンズ１１は、一面を平面としたがこれに限定されるものでもない。
【００２６】
ソフトレンズ１１の外縁の所定の位置には、図１（ａ）、（ｂ）に示したように、外方に突出するつまみ片１５がソフトレンズ１１に連続して形成されている。このつまみ片１５は、眼鏡店等でユーザが貼付レンズ１を持つときに指で摘むための部位であり、ソフトレンズ１１と同様の素材で形成されている。また、つまみ片１５は、ソフトレンズ１１の中心軸Ｌと直交する面に対して３０度の角度で形成されている。なお、３０度に限定されるものではないが、２０度から４０度とするのが好適である。
【００２７】
また、つまみ片１５は、図１（ｂ）において、ソフトレンズ１１の上面（凹面）に連続して形成されているが、ソフトレンズ１１の下面（粘着層２１が設けられている側）に連続した構成としてもよい。そして、つまみ片１５の上面には、視力矯正の度を表す数値が記載されている。なお、視力矯正の度を表す数値は、単位がディオプトリーであり、近視用のためマイナス記号を付しているが、マイナス記号を付さなくともよい。
【００２８】
粘着層１２は、ソフトレンズ１１の下面、すなわち、平面側に形成されている。この粘着層１２は、透光性の高い（透明）接着剤や接着性を有するゲル剤で形成されており、再剥離粘着性機能（繰り返し貼着、剥離を行える機能。）を備えている。粘着層１２を形成する素材としては、アクリル系やウレタン系特殊エラストマーなどを用いることができるが、透光性が高く、再剥離粘着性機能を備えていれば特に限定されるものではない。なお、水で洗うことで粘着力が復帰する素材を用いるのが好適である。
【００２９】
このような構成とした貼付レンズ１は、図２に示したように、伊達眼鏡等のレンズに貼付して使用される。そして、貼付レンズ１は、伊達眼鏡等のレンズに貼付することで、視力矯正機能を伊達眼鏡等に追加することができる。なお、図２においては、所定の一つのレンズにのみ貼付レンズ１を貼付しているが、二つのレンズに貼付する構成としてもよい。しかしながら、一つのレンズにのみ貼付する構成としても、利き目側のレンズに貼付することにより、眼鏡店等で所望の眼鏡フレームを着用した状態を鏡などに映して自分に似合っているか否か確認するには十分である。
【００３０】
本実施形態における貼付レンズ１によれば、粘着層１２の再剥離粘着性機能により平面レンズ等に何度も着脱を繰り返すことができる。また、貼付レンズ１は、つまみ片１５を備えることにより、ユーザにとって着脱作業が容易になると共に、着脱時にレンズ部分を触れる必要がないため、レンズに汚れや指紋等が付着する確率を低くできる。よって、本発明の貼付レンズ１は、眼鏡店のような不特定多数のユーザが使用する環境に適しているものである。
【００３１】
さらに、貼付レンズ１は、貼付対象が曲面であっても、ソフトレンズ１１が弾性を有しているため曲面に沿って貼付することができ、あらゆるレンズに貼付できることとなる。貼付レンズ１を曲面に貼付した場合であっても、一般的に眼鏡等のレンズの曲率半径は大きいため、貼付レンズ１の厚みの変化率は殆ど変化せず、視力矯正機能が大きく低下することもない。
【００３２】
次に、度の異なる複数の貼付レンズ１１を備えた貼付レンズセット１００について述べる。図３は、貼付レンズセット１００の正面図である。貼付レンズセット１００は、図３に示すように、透光性が高く（透明な）、表面が滑らかな樹脂製のプレート１０１と、プレート１０１の表面に並べて貼付された度の異なる複数の貼付レンズ１（１ａ、１ｂ、１ｃ、１ｄ・・・）と、を備える。
【００３３】
プレート１０１は、表面に貼付レンズ１を貼付する複数の貼付部１０５と、各貼付部１０５の側方において度数が表示された度数表示部１０６と、が設けられている。すなわち、プレート１０１の表面には、貼付レンズ１の貼付位置を表す円が貼付部１０５として破線で描かれており、この円の側方に度数表示部１０６として貼付レンズ１の度数が表示されている。また、プレート１０１の上端近傍の左右中央部分には孔１０７が形成され、フック１０８の取り付けが可能となっている。なお、貼付部１０５は、必ずしも破線の円が記載された構成とする必要はない。
【００３４】
この貼付レンズセット１００は、プレート１０１が透明な樹脂で形成されているため、ユーザがプレート１０１に貼付レンズ１が並べて貼付された状態のままで自分の目にあてがうことにより、自分の視力に合ったレンズを選択することができる。また、プレート１０１は、表面が滑らかな素材で形成されているため、ユーザは貼付レンズ１を容易に着脱することができる。さらに、プレート１０１に貼付レンズ１が貼付された状態のままでセットで商品化することができる。よって、眼鏡店等、不特定多数の人間が視力矯正レンズを必要とするような環境において、利便性の高い商品を提供できることとなる。
【００３５】
なお、本発明は以上のような実施形態に限定されるものではなく、発明の要旨を変更しない限り、様々な設計変更が可能である。例えば、ソフトレンズ１１を再剥離性粘着機能を有し、透光性が高く、かつ、屈折率の高い素材で形成することにより、粘着層１２を設けることなく本発明の目的及び効果を得ることができる。
【００３６】
また、ソフトレンズ１１を弾性素材で形成し、所定の一面を凹状に形成して吸盤機能を持たせ、他のレンズに吸着させた状態で視力矯正機能を発揮する構成としてもよい。このような構成とした場合にも、粘着層１２を設けることなく本発明の目的及び効果を得ることができる。
【産業上の利用可能性】
【００３７】
老眼や遠視用の貼付レンズも提供でき、貼付レンズセットに老眼や遠視用のレンズを追加することもできる。また、度無しのサングラスの内側に貼付し、つまみ片を鋏み等で切り取って常時サングラス等に貼り付けて使用することもできる。
【符号の説明】
【００３８】
１  貼付レンズ
１１  ソフトレンズ
１２  粘着層
１５  つまみ片
５０  眼鏡
５１  レンズ
１００  貼付レンズセット
１０１  プレート
１０５  貼付部
１０６  度数表示部
１０７  孔
１０８  フック
【図１】
2013101290.tif 000003
【図２】
2013101290.tif 000004
【図３】
2013101290.tif 000005